(57)【特許請求の範囲】
【請求項１】
垂直同期信号の先端と後端を検出して先端検出信号及び後端検出信号を発生し、遅延した垂直同期信号を発生するエッジ検出手段と、
前記遅延した垂直同期信号の後端においてアクティブビデオ信号のレベルに応答して奇数及び偶数フィールドを検出しフィールド判別信号を発生するフィールド判別信号発生手段と、
前記先端検出信号に同期したカウント制御信号を前記フィールド判別信号及び放送方式選択信号に応答して出力するカウント制御手段と、
前記フィールド判別信号に応答して第１の初期値及び第２の初期値から選択される初期値を前記カウント制御信号に応答してロードし、ロードされた初期値から水平同期信号の２倍の周波数を有するパルス信号をクロック入力としてカウントし、そのカウントされた計数値を出力するラインカウント手段と、
該ラインカウント手段の計数値と、選択された放送方式に対応するように予め設定された値とを比較し、両者が一致する場合に一致信号を出力する比較手段と、
前記一致信号に応答する先端と前記後端検出信号に応答する後端により区間が決定されるブランキング信号を発生するブランキング信号発生手段と
を備えることを特徴とするブランキング信号発生制御回路。
【請求項２】
前記エッジ検出手段は、
クロック信号に応答して前記垂直同期信号をクロック遅延させる遅延手段と、前記垂直同期信号と、前記遅延手段によりクロック遅延された垂直同期信号とを組合わせて垂直同期信号の先端検出信号を発生する先端検出手段と、
前記垂直同期信号と前記クロック遅延された垂直同期信号を組合わせて垂直同期信号の後端検出信号を発生する後端検出手段と
を備えることを特徴とする請求項１に記載のブランキング信号発生制御回路。
【請求項３】
前記フィールド判別信号発生手段は、
前記クロック遅延された垂直同期信号の後端において前記アクティブビデオ信号のレベルをラッチするラッチ手段と、
該ラッチ手段によりラッチされた現在の値と以前の値を比較して相違している場合には現在のラッチされた値を選択し、等しい場合には以前に発生されたフィールド判別信号を反転させた信号を選択する誤動作防止手段と、
該誤動作防止手段から出力される信号を前記クロック信号に同期させてフィールド判別信号として出力する出力手段と
を備えることを特徴とする請求項１に記載のブランキング信号発生制御回路。
【請求項４】
前記カウント制御手段は、
前記先端検出信号に応答して所定のパルス幅を有するカウント制御信号を発生するパルス発生手段と、
前記放送方式選択信号及びフィールド判別信号に応答して前記カウント制御信号をフィールド毎に出力するか、偶数フィールド毎に出力するかを制御する出力制御手段と
を備えることを特徴とする請求項１に記載のブランキング信号発生制御回路。
【請求項５】
前記ラインカウント手段は、
前記フィールド判別信号に応答して第１および第２の初期値のいずれかを選択する初期値選択手段と、
該選択された初期値を前記カウント制御信号に応答してロードし、そのロードされた初期値から水平同期信号の２倍の周波数を有するパルス信号をクロック入力としてカウントし、そのカウントされた計数値を出力するカウンタと
を備えることを特徴とする請求項１に記載のブランキング信号発生制御回路。
【請求項６】
前記ブランキング信号発生手段は、
前記一致信号を水平同期信号の２倍の周波数を有するパルス信号により１水平ライン遅延させて出力する遅延手段と、
該１水平ライン遅延された一致信号と前記後端検出信号に応答して、前記クロック信号に同期したブランキング信号を出力する出力手段と
を備えることを特徴とする請求項１に記載のブランキング信号発生制御回路。
【発明の詳細な説明】
【０００１】
【発明の属する技術分野】
本発明は、映像機器のブランキング（ｂｌａｎｋｉｎｇ）信号発生制御回路に係り、より詳しくは、コンピュータ・モニタのような映像機器において、異なる放送方式に対応可能なブランキング信号発生制御回路に関する。
【０００２】
【従来の技術】
一般に、映像機器を異なる信号方式の映像信号に対応できるようにするためには、アナログ映像信号をデジタル信号に変換させた後、いろいろなデジタル信号処理（ＤＳＰ：Ｄｉｇｉｔａｌ  Ｓｉｎｇｎａｌ  Ｐｒｏｃｅｓｓｉｎｇ）を経て、ビデオ信号を成す各パートに該当するタイミング信号を出力し、その信号を受け入れてコンピュータ・モニタのための構成方式に好適な映像信号を発生させる。
【０００３】
しかし、映像信号の垂直同期領域においては、色信号が存在しないようになるので、色信号の発生の為のカラーバースト（ｃｏｌｏｒ−ｂｕｒｓｔ）信号の位置を表示するタイミング信号が入力されてはいけない。
【０００４】
【発明が解決しようとする課題】
従来技術では前述の機能を行うのに、特定の放送方式の水平映像信号（Ｈｏｒｉｚｏｎｔａｌ  Ｖｉｄｅｏ  Ｓｉｇｎａｌ）のライン数をカウントして垂直映像信号の存在位置を認知していたので、異なる放送方式（ＮＴＳＣ、ＰＡＬ）の映像信号に対する互換性が不足していた。
【０００５】
本発明の目的は、外部の調整により異なる放送方式に対応できる映像機器のブランキング信号発生制御回路を提供することにある。
【０００６】
【課題を解決するための手段】
本発明に係るブランキング信号発生制御回路は、垂直同期信号の先端および後端を検出して先端検出信号及び後端検出信号を発生し、遅延した垂直同期信号を発生するエッジ検出手段と、前記遅延した垂直同期信号の後端においてアクティブビデオ信号のレベルに応答して奇数及び偶数フィールドを検出しフィールド判別信号を発生するフィールド判別信号発生手段と、前記先端検出信号に同期したカウント制御信号を前記フィールド判別信号及び放送方式選択信号に応答して出力するカウント制御手段と、前記フィールド判別信号に応答して第１の初期値及び第２の初期値から選択される初期値を前記カウント制御信号に応答してロードし、ロードされた初期値から水平同期信号の２倍の周波数を有するパルス信号をクロック入力してカウントし、そのカウントされた計数値を出力するラインカウント手段と、該ラインカウント手段の計数値と、選択された放送方式に対応するように予め設定された値とを比較し、両者が一致する場合に一致信号を出力する比較手段と、該一致信号に応答する先端と前記後端検出信号に応答する後端とによって区間が決定されるブランキング信号を発生するブランキング信号発生手段とを備えることを特徴とする。
【０００７】
前記エッジ検出手段は、クロック信号に応答して前記垂直同期信号をクロック遅延させる遅延手段と、前記垂直同期信号と前記遅延手段によりクロック遅延された垂直同期信号とを組合わせて垂直同期信号の先端検出信号を発生する先端検出手段と、前記垂直同期信号と前記クロック遅延された垂直同期信号とを組合わせて垂直同期信号の後端検出信号を発生する後端検出手段とを備える。
【０００８】
前記フィールド判別信号発生手段は、前記クロック遅延された垂直同期信号の後端において前記アクティブビデオ信号のレベルをラッチするラッチ手段と、該ラッチ手段によりラッチされた現在の値と以前の値を比較してそれらが相違している場合には現在のラッチされた値を選択し、等しい場合には以前に発生されたフィールド判別信号を反転させた信号を選択する誤動作防止手段と、該誤動作防止手段から出力される信号を前記クロック信号に同期させてフィールド判別信号として出力する出力手段とを備える。
【０００９】
前記カウント制御手段は、前記先端検出信号に応答して所定のパルス幅を有するカウント制御信号を発生するパルス発生手段と、前記放送方式選択信号及びフィールド判別信号に応答して前記カウント制御信号をフィールドごとに出力するか、偶数フィールドごとに出力するかを制御する出力制御手段とを備える。
【００１０】
前記ラインカウント手段は、前記フィールド判別信号に応答して第１の初期値又は第２の初期値のいずれかを選択する初期値選択手段と、該選択された初期値を前記カウント制御信号に応答してロードし、そのロードされた初期値から水平同期信号の２倍の周波数を有するパルス信号をクロック入力としてカウントし、そのカウントされた計数値を出力するカウンタとを備える。
【００１１】
前記ブランキング信号発生手段は、前記一致信号を水平同期信号の２倍の周波数を有するパルス信号により１水平ライン遅延させて出力する遅延手段と、該１水平ライン遅延された一致信号と前記後端検出信号に応答して、前記クロック信号に同期したブランキング信号を出力する出力手段とを備える。
【００１２】
【発明の実施の形態】
以下、添付された図面に基づき本発明についてさらに詳しく説明する。
【００１３】
図１は、本発明による映像機器のブランキング信号発生制御回路を示す図である。図１に示したエッジ検出手段１０は、遅延手段と、先端検出手段と、後端検出手段とを含む。前記遅延手段は、垂直同期信号ＶＳをシステムクロック信号ＣＫでラッチすることにより１クロック遅延させるフリップフロップＦ１から構成される。前記先端検出手段は、フリップフロップＦ１から出力される１クロック遅延された垂直同期信号を反転するインバータＩ１と、インバータＩ１で反転された信号と垂直同期信号ＶＳとの論理積をとるＡＮＤゲートＡ１とから構成され、図５に示すような先端検出信号ｂを出力する。前記後端検出手段は、フリップフロップＦ１から出力される１クロック遅延された垂直同期信号とインバータＩ２で反転された垂直同期信号との論理積をとるＡＮＤゲートＡ２とから構成され、図５に示すような後端検出信号ｃを出力する。
【００１４】
フィールド判別信号発生手段２０は、図２に示すように、ラッチ手段２２と、垂直同期信号ＶＳに含まれている雑音成分によるフィールド判別誤動作を防止する誤動作防止手段２４と、出力手段２６とから構成される。ラッチ手段２２は、エッジ検出手段１０で生成された１クロック遅延され反転された垂直同期信号ＶＳ−ＳＨＯＴをクロックとして入力し、各水平ラインのビデオ信号のアクティブ区間に対応するアクティブビデオ信号ＡＶをラッチするフリップフロップＦＦ１から構成される。誤動作防止手段２４は、フリップフロップＦＦ１において以前にラッチしたフィールド判別信号をラッチするフリップフロップＦＦ２と、以前のフィールド判別信号ＯＤＤを、１クロック遅延され反転された垂直同期信号ＶＳ−ＳＨＯＴのクロック入力に応答してラッチし、そのラッチされた信号を反転出力するフリップフロップＦＦ４と、フリップフロップＦＦ１とフリップフロップＦＦ２から出力される信号が異なる場合には正常と判断し、同一の場合には誤動作と判断する反転出力排他的論理和ゲート（Ｅｘｃｌｕｓｉｖｅ−ＮＯＲ）ＮＥＸと、反転出力排他的論理和ゲートＮＥＸから出力される信号に応じてラッチ手段２２でラッチされた現在のフィールド判別信号とフリップフロップＦＦ４にラッチされた以前のフィールド判別信号をマルチプレクスするマルチプレクサＭＵＸとを含む。従って、誤動作時には以前に出力されたフィールド判別信号と位相が１８０°反転されたフィールド判別信号を選択して現在のフィールド判別信号を出力することにより誤動作時にも正しいフィールド判別信号を出力するようになる。出力手段２６はマルチプレクサＭＵＸから出力される信号をクロック信号ＣＫによりラッチしてクロック信号に同期したフィールド判別信号を出力するためのフリップフロップＦＦ３とから構成される。
【００１５】
図１に示すように、カウント制御手段３０は、先端検出信号ｂに応答して所定のパルス幅を有するカウント制御信号を発生するパルス発生手段３２と、放送方式選択信号ＭＯＤＥ１及びフィールド判別信号ＯＤＤに応答してカウント制御信号をフィールドごとに出力するか、偶数フィールドごとに出力するかを制御する出力制御手段３４とを含む。パルス発生手段３２は、先端検出信号ｂをクロックとして入力し電源電圧ＶＤＤをラッチするフリップフロップＦ２と、水平同期信号の２倍の周波数を有するパルス信号ＦＨ２をクロック入力してフリップフロップＦ２の出力をラッチし、そのラッチされた信号を反転出力してフリップフロップＦ２をリセットするフリップフロップＦ３とを含む。したがって、パルス発生手段３２は、図５に示すように垂直同期信号ＶＳの先端からＦＨ２の１周期分のパルス幅を持つカウント制御信号ｄを発生することになる。出力制御手段３４は、フィールド判別信号発生手段２０から出力されるフィード判別信号ＯＤＤと放送方式選択信号ＭＯＤＥ１とを組合わせるＮＡＮＤゲートＡ３と、ＮＡＮＤゲートＡ３から出力される信号によりカウント制御信号ｄの出力を制御するＡＮＤゲートＡ４と、リセット信号ＲＢを反転するインバータＩ３と、ＡＮＤゲートＡ４から出力される信号と反転されたリセット信号との論理和をとるオアゲートＯＲ１とから構成される。つまり、カウント制御手段３０は垂直同期信号の先端に応答してＦＨ２の１周期分のパルス幅を持つロード制御信号を発生する。
【００１６】
ラインカウント手段４０は、フィールド判別信号発生手段２０から出力されるフィールド判別信号ＯＤＤにより、あらかじめ設定された初期値“１００１”と“１０１０”とのいずれかを選択し出力するマルチプレクサ４２と、カウント制御信号により、マルチプレクサ４２で選択された初期値がロードされ、ＦＨ２をクロック信号として、ロードされた初期値からカウントを開始する１１ビットカウンタ４４とを含む。そして、放送方式がＮＴＳＣ方式である場合、以前のフィールドが偶数のフィールドである場合にはマルチプレクサ４２のＳＢ端子にハイ状態の信号が印加されるので、初期値として“１００１”が選択され、カウンタ４４は９を初期値としてロードし、現在の奇数のフィールドのラインの数をカウントし始めるようになる。
【００１７】
比較手段５０は、ラインカウント手段４０から出力されるデータをＡ＜１０：０＞端子へ入力し、外部から入力されるか、又は、あらかじめ設定されたＮＴＳＣテレビ方式に該当するデータ“５２６”をＢ＜１０：０＞端子へ入力し、両者を比較してそれらが等しい場合にはハイ状態の一致信号を出力する。
【００１８】
ブランキング信号発生手段６０は、比較手段５０から出力される一致信号を、ＦＨ２をクロック入力して１水平ライン分遅延させる従属連結されたフリップフロップＦ４、Ｆ５と、フリップフロップＦ５から出力される信号と先端検出信号ｂとの論理和をとるオアゲートＯＲ２とから構成された遅延手段と、オアゲートＯＲ２から出力された信号をＪ入力端子に入力し、後端検出信号ｃをＫ入力端子に入力してクロック信号ＣＫに同期したブランキング信号ＢＬＡＮＫを出力するＪＫフリップフロップＦ６とから構成された出力手段とを含む。
【００１９】
次に、図３及び図４を参照して、上記構成のブランキング信号発生制御回路の動作について説明する。
【００２０】
ラインカウント手段４０のカウンタ４４は、入力端子ＬＤへの信号が論理値１であるときにＡ＜１０：０＞に入力される値をロードして、その値を初期値としてカウントアップ動作を行なう。
【００２１】
カウント制御手段３０のＡＮＤゲートＡ３に入力されるＭＯＤＥ１が論理値０であればＡＮＤゲートＡ４は常にイネーブル状態になってＶＳタイミング信号が発生される度にカウンタ４４の出力は９または１０に初期化される。
【００２２】
一方、ＭＯＤＥ１が論理値１の場合は、ＡＮＤゲートＡ３のもう一方の入力であるフィールド判別信号ＯＤＤによって、フリップフロップＦ２の出力のカウンタ４４のＬＤへの伝達が制御される。すなわち、ＭＯＤＥ１の値が論理値１である場合に、フィールド判別信号ＯＤＤの値が論理値０であれば（ＥＶＥＮフィールド）、フリップフロップＦ２の出力はカウンタ４４のＬＤに伝達され、フィード判別信号ＯＤＤの値が論理値１であれば（ＯＤＤフィールド）、フリップフロップＦ２の出力はカウンタ４４のＬＤに伝達されないようになる。
【００２３】
したがって、ＭＯＤＥ１が論理値１であるときは１つのフレームあたり１度のブランキング信号が生成される。ＮＴＳＣ方式の映像信号であるときはＭＯＤＥ１を論理値０として用いる。
【００２４】
カウンタ４４にフリップフロップＦ２の出力が伝達され、マルチプレクサ４２から出力された９または１０がロードされると、フリップフロップＦ３の反転出力端子より出力された信号がフリップフロップＦ２のリセット端子に供給されるので、カウンタ４４に供給されるフリップフロップＦ２の出力はＦＨ２の１つの周期の間のみ論理値１となる。
【００２５】
カウンタ４４から出力されるデータの値が設定されたデータ“５２６”と一致するとき比較手段５０は論理値１の一致信号を出力する。
【００２６】
カウンタ４４がＦＨ２をクロック入力としてカウントするに際し、ＦＨ２は１水平ラインあたり２つのパルスが存在する信号であるので、９から始めて５２６までカウントする間の水平ラインの数は２６０個となる。したがって、カウントの値が５２６であるときが、比較手段５０の出力が論理値１のパルスであるときになる。比較手段５０の出力はＦＨ２の２個分遅延してフリップフロップＦ６のＪ入力端子に入力される。ＦＨ２の２つの周期の間は１水平ラインに該当するので、水平ラインのカウント値が２６４においてブランキング信号ＢＬＡＮＫが論理値１となる。
【００２７】
上記ブランキング信号が論理値１になってからＶＳ入力信号が論理値０に落ちて垂直同期の区間が終わるとエッジ検出手段１０のＡＮＤゲートＡ２の出力によりＶＳの後端部分においてシステムクロックの１周期に該当する後端検出信号がフリップフロップＦ６のＫ入力端子に入力されてブランキング信号の出力を再び論理値０に落とす。
【００２８】
現在の奇数フィールドが終わる部分においては上述した９の代りに１０がカウンタ４４にロードされ、図３及び図４に示されたＯＤＤ及びＥＶＥＮフィールドにおけるビデオラインからわかるようにラインカウント値が２６６であるときにカウンタ４４は１０からカウントアップを行うので、ラインカウント値５２５においてフリップフロップＦ４の出力にパルスが発生してフリップフロップＦ４を通して１水平ラインだけ遅延しフリップフロップＦ６のＪ入力端子に入力される。このようにして、ブランキング信号は論理値１となり、垂直同期信号ＶＳの後端検出信号により論理値０になる。
【００２９】
なお、ここでは、ＮＴＳＣ方式のテレビ信号について説明したが、ＰＡＬ及びＳＥＣＡＭ方式のテレビ信号に対しても放送方式選択信号、初期値、比較手段５０の基準値などを外部から調整することにより、各放送方式に適したブランキング信号が得られる。
【００３０】
【発明の効果】
以上詳細に説明したように、本発明によれば、カウンタの初期値と初期値ロード、及び比較手段の比較値を外部から調整できるので、各放送方式に好適なデータを設定することによって、各放送方式に適したブランキング信号を発生することができるようになる。
【図面の簡単な説明】
【図１】本発明による映像機器のブランキング信号発生制御回路を示した図である。
【図２】図１に示されたフィールド判別信号発生手段の詳細回路図である。
【図３】ＮＴＳＣ方式のテレビ信号の奇数フィールドにおける複合ビデオ信号、アクティブビデオ信号、垂直同期信号、ブランキング信号及びフィールド判別信号の波形を示した波形図である。
【図４】ＮＴＳＣ方式のテレビ信号の偶数フィールドにおける複合ビデオ信号、アクティブビデオ信号、垂直同期信号、ブランキング信号及びフィールド判別信号の波形を示した波形図である。
【図５】図１に示された回路の主要部分の波形図である。
【符号の説明】
１０  エッジ検出手段
２０  フィールド判別信号発生手段
３０  カウント制御手段
４０  ラインカウント手段
５０  比較手段
６０  ブランキング信号発生手段
【図１】
0003618487.tif 000002
【図２】
0003618487.tif 000003
【図３】
0003618487.tif 000004
【図４】
0003618487.tif 000005
【図５】
0003618487.tif 000006